【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
創傷監視および／または療法装置であって、
創傷と接触して位置付けられるように構成された創傷被覆材であって、前記創傷または傷創のうちの少なくとも１つの測定データを取得するように構成された１つ以上のセンサを含む、創傷被覆材と、
コントローラであって、
非リアルタイムクロックを示すデバイスクロックを発生させ、
前記１つ以上のセンサによって取得された測定データを受信し、
セキュリティプロトコルに従って、測定データをリモートコンピューティングデバイスに送信する、
ように構成された、コントローラと、
を備え、
前記セキュリティプロトコルが、前記測定データに関連付けられている前記デバイスクロックを前記送信に含ませる、装置。
【請求項２】
前記創傷被覆材が、１つ以上の前記センサを支持する実質的に可撓性の創傷接触層を含む、請求項１に記載の装置。
【請求項３】
前記セキュリティプロトコルが、前記測定データを暗号化することをさらに含む、請求項１または２に記載の装置。
【請求項４】
前記セキュリティプロトコルが、前記測定データに関連付けられている患者識別情報またはリアルタイムクロック情報を前記送信に含めないことをさらに含む、請求項１〜３のいずれか一項に記載の装置。
【請求項５】
前記関連するデバイスクロックデータを伴う前記測定データの送信は、前記リモートコンピューティングデバイスが、前記デバイスクロックデータを用いて前記測定データをリアルタイムクロックデータと相関させることを引き起こす、請求項１〜４のいずれか一項に記載の装置。
【請求項６】
前記コントローラが、初期化中に、初期デバイスクロックデータを前記リモートコンピューティングデバイスに送信するようにさらに構成されており、
前記関連するデバイスクロックデータを伴う前記測定データの送信は、前記リモートコンピューティングデバイスが、前記初期デバイスクロックデータと前記測定データに関連付けられている前記初期デバイスクロックデータとの比較に基づいて、前記初期送信に対する経過時間を決定することを引き起こす、請求項５に記載の装置。
【請求項７】
前記コントローラは、電力が前記コントローラに供給されたときに、前記デバイスクロックを維持するように構成されている、請求項１〜６のいずれか一項に記載の装置。
【請求項８】
前記コントローラが、ゼロ、乱数、または一意の数から計数することによって、前記デバイスクロックを維持するように構成されている、請求項７に記載の装置。
【請求項９】
電力遮断に応答して、前記コントローラが、前記電力遮断前の以前のデバイスクロック値から前記デバイスクロックを再確立するようにさらに構成されている、請求項７または８に記載の装置。
【請求項１０】
創傷監視および／または療法システムであって、
請求項１〜９のいずれか一項に記載の装置と、
前記装置の前記コントローラに接続されるように構成され、前記コントローラから定期的にデータを受信するようにさらに構成された通信デバイスと、
前記通信デバイスに接続されるように構成されたコンピューティングデバイスであって、前記コンピューティングデバイスが、前記通信デバイスからデータを受信するようさらに構成され、前記コンピューティングデバイスが、前記コンピューティングデバイスからのデータを受信および集計するように構成された別のリモートコンピューティングデバイスに接続されるようにさらに構成されている、コンピューティングデバイスと、を備える、創傷監視および／または療法システム。
【請求項１１】
前記創傷または傷創のうちの少なくとも１つの１つ以上の画像を取得するように構成された別のコンピューティングデバイスをさらに備える、請求項１０に記載のシステム。
【請求項１２】
前記コンピューティングデバイスが、１つ以上の前記画像を別のリモートコンピューティングデバイスに通信するように構成されている、請求項１１に記載のシステム。
【請求項１３】
前記創傷被覆材が、前記測定データを前記コントローラまたは通信デバイスのうちの少なくとも１つに通信するように構成されたアンテナをさらに含む、請求項１０〜１２のいずれか一項に記載のシステム。
【請求項１４】
患者の標的領域内の皮膚灌流圧力を測定するように構成された皮膚灌流測定デバイスをさらに備え、前記コンピューティングデバイスが、前記灌流測定デバイスに接続され、かつ前記灌流測定デバイスからデータを受信するようにさらに構成されている、請求項１０〜１３のいずれか一項に記載のシステム。
【請求項１５】
前記通信デバイスが、近距離無線通信（ＮＦＣ）プロトコルを使用して前記コントローラに接続されるように構成されている、請求項１０〜１４のいずれか一項に記載のシステム。
【手続補正２】
【補正対象書類名】明細書
【補正対象項目名】０３０５
【補正方法】変更
【補正の内容】
【０３０５】
本開示の範囲は、本節または本明細書の他の箇所における好ましい実施形態の特定の開示によって制限されることを意図するものではなく、本節または本明細書の他の箇所において提示されているか、またはこの後に提示される特許請求の範囲によって定義されうる。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
［付記項１］
創傷監視および／または療法装置であって、
創傷と接触して位置付けられるように構成された創傷被覆材であって、前記創傷または傷創のうちの少なくとも１つの測定データを取得するように構成された１つ以上のセンサを含む、創傷被覆材と、
コントローラであって、
非リアルタイムクロックを示すデバイスクロックを維持すること、
前記１つ以上のセンサによって取得された測定データを受信すること、および
セキュリティプロトコルに従って、測定データをリモートコンピューティングデバイスに送信することであって、前記セキュリティプロトコルが、前記測定データに関連付けられている前記デバイスクロックを前記送信に含む、送信すること、を行うように構成された、コントローラと、を備える、創傷監視および／または療法装置。
［付記項２］
前記創傷被覆材が、前記１つ以上のセンサを支持する実質的に可撓性の創傷接触層を含む、付記項１に記載の装置。
［付記項３］
前記セキュリティプロトコルが、前記測定データを暗号化することをさらに含む、付記項１または２に記載の装置。
［付記項４］
前記セキュリティプロトコルが、前記測定データに関連付けられている患者識別情報またはリアルタイムクロック情報を前記送信に含めないことをさらに含む、付記項１〜３のいずれか一項に記載の装置。
［付記項５］
前記関連するデバイスクロックデータを伴う前記測定データの送信は、前記リモートコンピューティングデバイスが、前記デバイスクロックデータを用いて前記測定データを前記リアルタイムクロックデータと相関させることを引き起こす、付記項１〜４のいずれか一項に記載の装置。
［付記項６］
前記コントローラが、初期化中に、初期デバイスクロックデータを前記リモートコンピューティングデバイスに送信するようにさらに構成されており、
前記関連するデバイスクロックデータを伴う前記測定データの送信は、前記リモートコンピューティングデバイスが、前記初期デバイスクロックデータと前記測定データに関連付けられている前記初期デバイスクロックデータとの比較に基づいて、前記初期送信に対する経過時間を決定することを引き起こす、付記項５に記載の方法。
［付記項７］
前記コントローラは、電力が前記コントローラに供給されたときに、前記デバイスクロックを維持するように構成されている、付記項１〜６のいずれか一項に記載の装置。
［付記項８］
前記コントローラが、ゼロ、乱数、または一意の数から計数することによって、前記デバイスクロックを維持するように構成されている、付記項７に記載の装置。
［付記項９］
電力遮断に応答して、前記コントローラが、前記電力遮断前の以前のデバイスクロック値から前記デバイスクロックを再確立するようにさらに構成されている、付記項７または８に記載の装置。
［付記項１０］
創傷監視および／または療法システムであって、
付記項１〜９のいずれか一項に記載の装置と、
前記装置の前記コントローラに接続されるように構成され、前記コントローラから定期的にデータを受信するようにさらに構成された通信デバイスと、
前記通信デバイスに接続されるように構成されたコンピューティングデバイスであって、前記コンピューティングデバイスが、前記通信デバイスからデータを受信するようさらに構成され、前記コンピューティングデバイスが、前記コンピューティングデバイスからのデータを受信および集計するように構成された別のリモートコンピューティングデバイスに接続されるようにさらに構成されている、コンピューティングデバイスと、を備える、創傷監視および／または療法システム。
［付記項１１］
前記創傷または傷創のうちの少なくとも１つの１つ以上の画像を取得するように構成された別のコンピューティングデバイスをさらに備える、付記項１０に記載のシステム。
［付記項１２］
前記コンピューティングデバイスが、前記１つ以上の画像を前記別のリモートコンピューティングデバイスに通信するように構成されている、付記項１１に記載のシステム。
［付記項１３］
前記創傷被覆材が、前記測定データを前記コントローラまたは通信デバイスのうちの少なくとも１つに通信するように構成されたアンテナをさらに含む、付記項１０〜１２のいずれか一項に記載のシステム。
［付記項１４］
前記患者の標的領域内の皮膚灌流圧力を測定するように構成された皮膚灌流測定デバイスをさらに備え、前記コンピューティングデバイスが、前記灌流測定デバイスに接続され、かつ前記灌流測定デバイスからデータを受信するようにさらに構成されている、付記項１０〜１３のいずれか一項に記載のシステム。
［付記項１５］
前記通信デバイスが、近距離無線通信（ＮＦＣ）プロトコルを使用して前記コントローラに接続されるように構成されている、付記項１０〜１４のいずれか一項に記載のシステム。
［付記項１６］
創傷と接触して位置付けられるように構成された創傷被覆材を操作する方法であって、前記創傷被覆材が、前記創傷または傷創のうちの少なくとも１つの測定データを取得するように構成された１つ以上のセンサを含み、前記方法が、
前記創傷被覆材に接続されるか、またはそれによって支持されるように構成されたコントローラによって、
非リアルタイムクロックを示すデバイスクロックを維持すること、
前記１つ以上のセンサによって取得された測定データを受信すること、および
前記測定データに関連付けられている前記デバイスクロックを前記送信に含めることによって、セキュリティプロトコルに従って、測定データをリモートコンピューティングデバイスに送信すること、を含む、方法。
［付記項１７］
前記セキュリティプロトコルが、前記測定データを暗号化することをさらに含む、付記項１６に記載の方法。
［付記項１８］
前記セキュリティプロトコルが、前記測定データに関連付けられている患者識別情報またはリアルタイムクロック情報を前記送信に含めないことをさらに含む、付記項１６または１７に記載の方法。
［付記項１９］
前記関連するデバイスクロックデータを伴う前記測定データの送信は、前記リモートコンピューティングデバイスが、前記デバイスクロックデータを利用して前記測定データを前記リアルタイムクロックデータと相関させることを引き起こす、付記項１６〜１８のいずれか一項に記載の方法。
［付記項２０］
前記コントローラによって、初期化中に初期デバイスクロックデータを前記リモートコ
ンピューティングデバイスに送信することをさらに含み、前記関連するデバイスクロックデータを伴う前記測定データの送信は、前記リモートコンピューティングデバイスが、前記初期デバイスクロックデータと前記測定データに関連付けられているデバイスクロックデータとの比較に基づいて、前記初期送信に対する経過時間を決定することを引き起こす、付記項１９に記載の方法。
［付記項２１］
電力が前記コントローラに供給されるときに、前記デバイスクロックを維持することをさらに含む、付記項１６〜２０のいずれか一項に記載の方法。
［付記項２２］
ゼロ、乱数、または一意の数から計数することによって前記デバイスクロックを維持することをさらに含む、付記項２１に記載の方法。
［付記項２３］
電力遮断に応答して、前記電力遮断前の以前のデバイスクロック値から前記デバイスクロックを再確立することをさらに含む、付記項２１または２２のいずれかに記載の方法。
［付記項２４］
付記項１６〜２３のいずれか一項に記載の装置を操作および／または使用する方法。
［付記項２５］
図示および／または説明されている創傷監視および／または療法システム。
［付記項２６］
図示および／または説明されている創傷被覆材。
［付記項２７］
図示および／または説明されている創傷被覆材を操作および／または使用する方法。
［付記項２８］
図示および／または説明されている創傷監視および／または療法システムを操作および／または使用する方法。